【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）エアフィルタカートリッジハウジングと、
（ｂ）前記エアフィルタカートリッジハウジングの中に取り外しできないように固定されている媒体パックと、を含み、
（ｉ）前記媒体パックは、ろ過されていない空気が前記媒体パックを通過する場合には必ず前記媒体パック中の媒体を通過するように構成され、
（ｃ）前記エアフィルタカートリッジハウジングは、
（ｉ）前記媒体パックの流出面に隣接するフィルタカートリッジのろ過された空気の容積部を画定するシェル部材を有し、
（Ａ）前記シェル部材の閉じた端部部分が前記フィルタカートリッジのろ過された空気の容積部を画定し、
（ｉｉ）前記エアフィルタカートリッジハウジングは、前記媒体パックの第１側部に沿って延びている第１端部部材を有し、前記第１端部部材は、前記フィルタカートリッジのろ過された空気の容積部と連絡し、前記第１端部部材の中を通るフィルタカートリッジ空気の流出構成物を有し、
（ｉｉｉ）前記エアフィルタカートリッジハウジングは、前記媒体パックの第２端部に沿って伸びている第２端部部材を有することを特徴とするエアフィルタカートリッジ。
【請求項２】
（ａ）前記媒体パックは、対向する流入面と流出面とを画定する媒体の細長片の積層体を含み、
（ｉ）前記媒体パックは、前記流入面と流出面との間の方向にほぼ延びている複数の縦溝流路を画定し、前記媒体パックの対向する第１側部と第２側部は、前記流入面と流出面との間で延びていることを特徴とする請求項１に記載のエアフィルタカートリッジ。
【請求項３】
（ａ）前記シェル部材の閉じた端部部分は、前記閉じた端部部分の中を通過する排液開口構成物を含むことを特徴とする請求項１または請求項２に記載のエアフィルタカートリッジ。
【請求項４】
（ａ）前記排液開口構成物の上方に配置されているフィルタ媒体構成物を含むことを特徴とする請求項３に記載のエアフィルタカートリッジ。
【請求項５】
（ａ）前記排液開口構成物は、前記第１端部部材に隣接して間隔をあけて配置されている第１開口構成物と、前記第２端部部材に隣接して間隔をあけて配置されている第２開口構成物とを含むことを特徴とする請求項３または請求項４に記載のエアフィルタカートリッジ。
【請求項６】
（ａ）前記フィルタカートリッジハウジングの前記閉じた端部部分は、底部部分と、対向するカーブした側部部分とを含み、
（ｉ）前記排液開口構成物は、前記底部部分に少なくとも１つの開口を含むことを特徴とする請求項３乃至請求項５のうちのいずれか１項に記載のエアフィルタカートリッジ。
【請求項７】
（ａ）前記排液開口構成物は、前記閉じた端部部分の前記対向するカーブした側部部分のそれぞれに、少なくとも１つの開口をさらに含むことを特徴とする請求項６に記載のエアフィルタカートリッジ。
【請求項８】
（ａ）前記第２端部部材は、前記フィルタカートリッジ空気の流出構成物に対向する部分に沿って、前記対向する部分から空気が通過しないように前記シェル部材を閉じるように配置されていることを特徴とする請求項１乃至請求項７のうちのいずれか１項に記載のエアフィルタカートリッジ。
【請求項９】
（ａ）前記第１端部部材は、前記フィルタカートリッジ空気の流出構成物を取り囲んでいる第１ハウジングシール構成物を含むことを特徴とする請求項１乃至請求項８のうちのいずれか１項に記載のエアフィルタカートリッジ。
【請求項１０】
（ａ）前記第１ハウジングシール構成物は、内部に向いている半径方向シールを含むことを特徴とする請求項９に記載のエアフィルタカートリッジ。
【請求項１１】
（ａ）前記第１ハウジングシール構成物は、円形シール面を画定するシール面を含むことを特徴とする請求項１０に記載のエアフィルタカートリッジ。
【請求項１２】
（ａ）前記第１ハウジングシール構成物は、シール面を含み、前記シール面は、第１アーチ形側部と、前記第１アーチ形側部と対向する第２側部であって、中央の頂点と対向する側部部分とを持つ前記第２側部と、を画定することを特徴とする請求項１０に記載のエアフィルタカートリッジ。
【請求項１３】
（ａ）前記第１端部部材は、第１ハウジングシール構成物と一体成形された端部ピースであることを特徴とする請求項１乃至請求項１２のうちのいずれか１項に記載のエアフィルタカートリッジ。
【請求項１４】
（ａ）前記第１端部部材は、発泡ポリウレタンを含むことを特徴とする請求項１乃至請求項１３のうちのいずれか１項に記載のエアフィルタカートリッジ。
【請求項１５】
（ａ）前記第１端部部材は、前記フィルタカートリッジ空気の流出構成物を取り囲むハウジングシール支持リングを含むことを特徴とする請求項１乃至請求項１４のうちのいずれか１項に記載のエアフィルタカートリッジ。
【請求項１６】
（ａ）前記第２端部部材は、周囲ハウジングシール部材を含むことを特徴とする請求項１乃至請求項１５のうちのいずれか１項に記載のエアフィルタカートリッジ。
【請求項１７】
（ａ）前記第２端部部材は、前記周囲ハウジングシール部材と一体成形された端部部材を含むことを特徴とする請求項１６に記載のエアフィルタカートリッジ。
【請求項１８】
（ａ）前記第２端部部材は、前記フィルタカートリッジのろ過された空気の容積部の中に延びている二次フィルタ支持突起物を含むことを特徴とする請求項１乃至請求項１７のうちのいずれか１項に記載のエアフィルタカートリッジ。
【請求項１９】
（ａ）前記第２端部部材の上の前記二次フィルタ支持突起物は、内側に突き出ている周囲リングを含むことを特徴とする請求項１８に記載のエアフィルタカートリッジ。
【請求項２０】
（ａ）前記二次フィルタ支持突起物は、前記フィルタカートリッジ空気の流出構成物の方向に向かう閉じた端部を持つことを特徴とする請求項１９に記載のエアフィルタカートリッジ。
【請求項２１】
（ａ）前記二次フィルタ支持突起物は、前記フィルタカートリッジ空気の流出構成物から離れる方向に突き出ている中央凹部を持つことを特徴とする請求項１９または請求項２０に記載のエアフィルタカートリッジ。
【請求項２２】
（ａ）前記第２端部部材は、鋳込み成形された発泡ポリウレタンを含むことを特徴とする請求項１乃至請求項２１のうちのいずれか１項に記載のエアフィルタカートリッジ。
【請求項２３】
（ａ）前記第２端部部材は、二次フィルタ支持体を含むプリフォーム部を含み、前記第２端部部材は、前記第２端部部材の鋳込み成形された部分と一体成形された周囲ハウジングリング部材を含むことを特徴とする請求項１乃至請求項２２のうちのいずれか１項に記載のエアフィルタカートリッジ。
【請求項２４】
（ａ）前記シェル部材は、対向する第１側部部分と第２側部部分とを持ち、前記媒体パックが前記第１側部部分と第２側部部分の間に配置され、前記シェル部材は、さらに、前記媒体パックの流出面に面している第１の閉じた端部部分を持つことを特徴とする請求項１乃至請求項２３のうちのいずれか１項に記載のエアフィルタカートリッジ。
【請求項２５】
（ａ）前記シェル部材の前記第１の閉じた端部部分は、アーチ形部を持つことを特徴とする請求項２４に記載のエアフィルタカートリッジ。
【請求項２６】
（ａ）前記シェル部材は、ｄ／ｂ形状を画定することを特徴とする請求項１乃至請求項２５のうちのいずれか１項に記載のエアフィルタカートリッジ。
【請求項２７】
（ａ）前記シェル部材は、ｕ形状を画定することを特徴とする請求項１乃至請求項２５のうちのいずれか１項に記載のエアフィルタカートリッジ。
【請求項２８】
（ａ）前記シェル部材は、前記流出面から前記シェル部材までの間の前記フィルタカートリッジのろ過された空気の容積部を横切る距離Ｘが、前記媒体の細長片の方向と垂直方向でかつ前記媒体パックを通過する空気流の方向とも垂直方向である前記媒体パックを横切る距離Ｙの少なくとも５０％であるように構成されていることを特徴とする請求項１乃至請求項２７のうちのいずれか１項に記載のエアフィルタカートリッジ。
【請求項２９】
（ａ）前記シェル部材は、ＸがＹの少なくとも７５％であるように構成されることを特徴とする請求項２８に記載のエアフィルタカートリッジ。
【請求項３０】
（ａ）前記シェル部材は、Ｘ／Ｙの比率が少なくとも１.０であるように構成されていることを特徴とする請求項２８または請求項２９に記載のエアフィルタカートリッジ。
【請求項３１】
（ａ）前記シェル部材は、Ｘ／Ｙの比率が１.０〜１.５の範囲内であるように構成されていることを特徴とする請求項２８乃至請求項３０のうちのいずれか１項に記載のエアフィルタカートリッジ。
【請求項３２】
（ａ）前記媒体パックは、ブロック化されて積層された媒体パックであることを特徴とする請求項２に記載のエアフィルタカートリッジ。
【請求項３３】
（ａ）前記シェル部材は、セルロース繊維シート物質と、プラスチックと、金属とからなるグループから本質的に選択されることを特徴とする請求項１乃至請求項３２のうちのいずれか１項に記載のエアフィルタカートリッジ。
【請求項３４】
（ａ）前記第２端部部材は、ハンドルを持つ外面を含むことを特徴とする請求項１乃至請求項３３のうちのいずれか１項に記載のエアフィルタカートリッジ。
【請求項３５】
（ａ）前記ハンドルは、鋳込み成形されたハンドル突起物であることを特徴とする請求項３４に記載のエアフィルタカートリッジ。
【請求項３６】
エアフィルタカートリッジであって、
（ａ）対向する第１側部部分および第２側部部分と、第１の閉じた端部部分とを持つシェル部材を含むフィルタカートリッジハウジングと、
（ｂ）前記フィルタカートリッジハウジングの中に取り外しできないように固定された媒体パックと、を有し、
（ｉ）前記媒体パックは、前記シェル部材の前記第１の閉じた端部部分に向かう方向に空気流出面を画定し、
（ｉｉ）前記シェル部材は、前記シェル部材の前記第１の閉じた端部部分と、前記媒体パックとの間にフィルタカートリッジのろ過された空気の容積部を画定し、前記フィルタカートリッジのろ過された空気の容積部は、前記媒体パックから前記シェル部材の前記第１の閉じた端部部分までの間の寸法Ｘを有し、前記寸法Ｘは、前記シェル部材の対向する第１側部部分および第２側部部分との間の距離Ｚの少なくとも５０％であり、
（ｃ）前記フィルタカートリッジハウジングは、前記媒体パックの第１側部と前記シェル部材の第１側部部分とを閉じている第１端部部材を含み、
（ｉ）前記第１端部部材は、前記フィルタカートリッジのろ過された空気の容積部と流れが連絡している空気流開口部を持ち、
（ｉｉ）前記第１端部部材は、前記空気流開口部の周囲ハウジング出口シール部材を含み、
（ｄ）前記フィルタカートリッジハウジングは、前記第１端部部材と対向し、前記媒体パックの第２側部と前記シェル部材の前記第２側部部分とを閉じている第２端部部材を含み、
（ｉ）前記第２端部部材は、前記第２端部部材の中を空気流が通過しないように閉じていることを特徴とするエアフィルタカートリッジ。
【請求項３７】
（ａ）前記媒体パックは、前記対向する第１側部部分および第２側部部分との間の位置で、前記シェル部材に取り外しできないように固定されている媒体の細長片の積層体を含み、
（ｉ）前記媒体パックは、対向する第１流れ面と第２流れ面とを持ち、前記対向する第１流れ面と第２流れ面との間の方向に延びる複数の縦溝流路を画定し、
（ｉｉ）前記媒体パックの前記第１流れ面は、前記シェル部材の第１側部部分と第２側部部分との間で前記シェル部材から離れる方向に配置された空気の流入面を含むことを特徴とする請求項３６に記載のエアフィルタカートリッジ。
【請求項３８】
（ａ）前記第２端部部材は、周囲ハウジングシール部材を含むことを特徴とする請求項３６または請求項３７に記載のエアフィルタカートリッジ。
【請求項３９】
エアクリーナアセンブリであって、
（ａ）前記エアクリーナアセンブリは、内部を画定する側壁を持つエアクリーナハウジングを有し、前記エアクリーナハウジングは、空気流入側部と、前記空気流入側部に直交する方向の側壁中に配置された空気の流出構成物とを含み、
（ｉ）前記エアクリーナハウジングは、前記空気の流出構成物と対向する前記側壁の一部に沿って、アクセス開口の上に取り外し可能なアクセスカバーを持つ前記アクセス開口を含み、
（ｂ）前記エアクリーナアセンブリは、前記エアクリーナハウジングの内部に配置された取り外し可能で取替え可能な第１エアフィルタカートリッジを含み、
（ｉ）前記第１エアフィルタカートリッジは、前記アクセスカバーが取り外される場合に、前記アクセス開口を通過するような大きさに作られており、
（ｉｉ）前記第１エアフィルタカートリッジは、請求項１乃至請求項３６のうちのいずれか１項に記載されたエアフィルタカートリッジから選択されたものであり、
前記第１エアフィルタカートリッジは、
（Ａ）前記媒体パックの流入面が前記エアクリーナハウジングの空気流入側部の方向に向けられ、
（Ｂ）前記第１端部部材の前記空気の流出構成物が前記エアクリーナハウジングの前記空気の流出構成物の方向に向けられ、かつ空気流が前記空気の流出構成物と一直線上の方向にあって、
（Ｃ）前記第１エアフィルタカートリッジの前記第２端部部材が前記エアクリーナハウジングの前記アクセスカバーの方向に向けられた、状態で配置されていることを特徴とするエアクリーナアセンブリ。
【請求項４０】
（ａ）前記エアクリーナハウジングと前記第１エアフィルタカートリッジとから分離可能な二次フィルタカートリッジを含み、
（ｉ）前記二次フィルタカートリッジは、前記エアクリーナハウジングの前記空気の流出構成物の上方の前記エアクリーナハウジングの上に取り外し可能に取り付けられており、前記第１エアフィルタカートリッジの前記第１端部部材を通ってフィルタカートリッジのろ過された空気の容積部中に突き出ていることを特徴とする請求項３９に記載のエアクリーナアセンブリ。
【請求項４１】
（ａ）前記二次フィルタカートリッジは、前記エアクリーナハウジングの前記空気の流出構成物から離れる方向に閉じた端部を持ち、
（ｂ）前記第１エアフィルタカートリッジの前記第２端部部材は、前記二次フィルタカートリッジの前記閉じた端部との係合を支持する内側の二次フィルタカートリッジを支持する突起物を含むことを特徴とする請求項４０に記載のエアクリーナアセンブリ。
【請求項４２】
（ａ）前記二次フィルタカートリッジの前記閉じた端部は、前記第１エアフィルタカートリッジの閉じた前記第２端部部材の方向に向かう中央軸方向の突起物を含み、
（ｂ）前記第１エアフィルタカートリッジの閉じた前記第２端部部材は、前記二次フィルタカートリッジの前記閉じた端部が前記第２端部部材中に延びている状態で、前記第２端部部材中に前記中央軸方向の突起物を収容するような大きさと形状に作られた凹部を含むことを特徴とする請求項４１に記載のエアクリーナアセンブリ。
【請求項４３】
（ａ）前記エアクリーナハウジングの前記空気の流出構成物は、内面と外面とを画定するシールフランジによって取り囲まれており、
（ｂ）前記第１エアフィルタカートリッジの第１端部部材は、前記フィルタカートリッジ空気の流出構成物を取り囲むハウジングシール部材を含み、前記第１エアフィルタカートリッジの前記ハウジングシール部材は、前記シールフランジの外面にシールされていることを特徴とする請求項３９乃至請求項４１のうちのいずれか１項に記載のエアクリーナアセンブリ。
【請求項４４】
（ａ）前記エアクリーナアセンブリは、請求項４０に記載の二次フィルタカートリッジを含み、前記二次フィルタカートリッジは、その周りにハウジングシールを持つ外面を持つ開いた端部を含み、前記二次フィルタカートリッジの前記ハウジングシールは、前記エアクリーナハウジングの前記シールフランジの内面の少なくとも一部をシールしていることを特徴とする請求項４３に記載のエアクリーナアセンブリ。
【請求項４５】
（ａ）前記第１エアフィルタカートリッジは、前記第２端部部材の上に周囲ハウジング周辺シール部材を含み、
（ｉ）前記第１エアフィルタカートリッジは、前記周囲ハウジング周辺シール部材が、前記エアクリーナハウジングの中の前記アクセス開口に隣接する位置で前記エアクリーナハウジングの内面にシールされた状態で配置されていることを特徴とする請求項３９乃至請求項４４のうちのいずれか１項に記載のエアクリーナアセンブリ。
【請求項４６】
（ａ）前記第１エアフィルタカートリッジは、前記第２端部部材の上に配置され、前記第１端部部材から離れる方向に突き出ているハンドル部材を含み、
（ｂ）前記エアクリーナハウジングのアクセスカバーは、前記第１エアフィルタカートリッジの上に前記ハンドル部材が突き出ているハンドル部材凹部を含むことを特徴とする請求項３９乃至請求項４４のうちのいずれか１項に記載のエアクリーナアセンブリ。
【請求項４７】
（ａ）前記ハンドル部材は、前記第２端部部材の鋳込み成形された部分であることを特徴とする請求項４６に記載のエアクリーナアセンブリ。
【請求項４８】
（ａ）前記第１エアフィルタカートリッジは、ｄ／ｂ形状のシェルを持つことを特徴とする請求項３９乃至請求項４７のうちのいずれか１項に記載のエアクリーナアセンブリ。
【請求項４９】
（ａ）前記第１エアフィルタカートリッジは、ｕ形状のシェルを持つことを特徴とする請求項３９乃至請求項４８のうちのいずれか１項に記載のエアクリーナアセンブリ。
【請求項５０】
（ａ）前記フィルタカートリッジは、半径方向シール面を含み、前記半径方向シール面は、第１のアーチ形側部と、中央の頂点および２つの対向する側部を持つ第２側部と、を持つことを特徴とする請求項３９乃至請求項４９のうちのいずれか１項に記載のエアクリーナアセンブリ。
【請求項５１】
（ａ）前記エアクリーナハウジングは、前記空気流入側部に対向する閉じた端部を含み、前記閉じた端部は、前記閉じた端部の中を通る排液開口を持つことを特徴とする請求項３９乃至請求項４９のうちのいずれか１項に記載のエアクリーナアセンブリ。
【請求項５２】
（ａ）前記第１エアフィルタカートリッジの前記第２端部部材は、閉じていることを特徴とする請求項３９に記載のエアクリーナアセンブリ。
【請求項５３】
エアフィルタカートリッジを形成する方法であって、
（ａ）前記方法は、第１側部部分および第２側部部分と、閉じた端部部分とを持つシェル部材を、前記シェル部材の第１側部部分と第２側部部分との間に媒体パックを配置し、前記媒体パックを前記シェル部材に固定することによって前記媒体パックに取り付ける取付工程を有し、
（ｉ）前記媒体パックは、流入面と流出面とを画定する媒体の細長片の積層体を含み、
（Ａ）前記媒体パックは、前記流入面と前記流出面との間の方向に存在する縦溝流路を画定し、
（Ｂ）前記媒体パックは、ろ過されていない空気が前記媒体パックを通過する場合に必ず前記媒体パックの媒体を通過するように閉じており、
（Ｃ）前記媒体パックは、フィルタカートリッジのろ過された空気の容積部を画定するために、前記流出面が前記シェル部材の閉じた端部部分の方向に向かってかつ前記閉じた端部部分から間隔を空けて配置されており、前記フィルタカートリッジのろ過された空気の容積部は、前記流出面と前記閉じた端部部分との間の寸法Ｘであって、前記シェル部材の第１側部分と第２側部分との間の寸法Ｚの少なくとも５０％に対応する前記寸法Ｘを持ち、
（ｂ）前記方法は、第１側部部材と第２側部部材とを前記シェル部材の対向する側部に固定する固定工程を有し、
（ｉ）前記第１側部部材は、前記フィルタカートリッジのろ過された空気の容積部と重なって、前記第１側部部材の中を通るフィルタカートリッジ空気の流出構成物を持ち、かつ前記媒体パックの第１側部を閉じていることを特徴とする方法。
【請求項５４】
（ａ）前記第２側部部材は閉じている部材であることを特徴とする請求項５３に記載の方法。
【請求項５５】
（ａ）前記第１側部部材は、鋳込み成形されたものであり、
（ｂ）前記第２側部部材は、鋳込み成形されたものであることを特徴とする請求項５３または請求項５４に記載の方法。
【請求項５６】
（ａ）前記第１側部部材は、前記第２側部部材の前方の前記シェル部材の上に配置されていることを特徴とする請求項５３乃至請求項５５のうちのいずれか１項に記載の方法。
【請求項５７】
（a）前記第１ハウジングシール構成物は、少なくとも１つの真っ直ぐな側部部分と、アーチ形側部とを画定するシール表面を含むことを特徴とする請求項９に記載のエアーフィルタカートリッジ。
【請求項５８】
（a）前記第１ハウジングシール構成物は、シール表面を含み、前記シール表面は、第１のアーチ形側部と、前記第１のアーチ形側部に対向する第２の側部であって、中央の頂点と、対向する第１側部部分および第２側部部分とを持つ前記第２の側部と、を画定することを特徴とする請求項５７に記載のエアーフィルタカートリッジ。
【請求項５９】
（a）前記ハウジング出口シール部材は、少なくとも１つの真っ直ぐな側部部分と、アーチ型側部とを画定するシール表面を含むことを特徴とする請求項３６に記載のエアーフィルタカートリッジ。
【請求項６０】
（a）前記第１ハウジングシール部材は、シール表面を含み、前記シール表面は、第１のアーチ形側部と、前記第１のアーチ形側部に対向する第２の側部であって、中央の頂点と、対向する第１側部部分および第２側部部分とを持つ前記第２の側部と、を画定することを特徴とする請求項５９に記載のエアーフィルタカートリッジ。